(57)【特許請求の範囲】
【請求項１】
底体と、一方向にスライドして底体に装着される蓋体とを備える遊技機の基板ケースにおいて、
蓋体のスライド方向に対して横側となる蓋体と底体の側面に、蓋体側貼着部と底体側貼着部とからなる封印シールの貼着部を設けたうえに、この貼着部に、蓋体側貼着部から上方に突出する突起を有するカッター部材を、蓋体側貼着部と底体側貼着部とに挿通させて、且つ蓋体のスライド方向に対して直交方向にスライド可能にして装着したことを特徴とする遊技機の基板ケース。
【請求項２】
蓋体側貼着部と底体側貼着部とに、カッター部材のスライド方向に伸びる切込み溝が形成されており、
カッター部材は、底体側貼着部と蓋体側貼着部との間に介装される水平翼と、前記突起を有し蓋体側貼着部の切込み溝に挿し込まれる上側垂直翼と、底体側貼着部の切込み溝に挿し込まれる下側垂直翼と、を備えている請求項１に記載の遊技機の基板ケース。
【発明の詳細な説明】
【技術分野】
【０００１】
本発明は、制御基板を収納するための遊技機の基板ケースに関するものである。
【背景技術】
【０００２】
制御基板を収納するための遊技機の基板ケースを封印する手段として、外部との電波の送受信が可能に構成されたＩＣタグシール（以下、封印シールという）を用いるものが知られている。封印シール１は、図１２、１３に示すように、裏面に固有の識別情報が収納されたＩＣチップ１１と、アンテナ部１２と、ＩＣチップ１１とアンテナ部１２とをつなぐ接続部１３とを備えている。特許文献１には、貼着された封印シールを着脱自在のカバーで覆った手段、特許文献２には、かしめ付き（嵌め殺し）の封印シールカバーを備えた手段、特許文献３には、封印シールカバーを基板ケース自体のかしめと一緒にかしめた手段が開示されている。
【０００３】
しかしながら、これらの手段においては、基板ケースを遊技機に取り付けた状態で遊技機の裏側から見ると、基板ケースを蓋体の上側から見ることになるため、封印シール貼着部分の基板ケースの蓋体と底体との境界線に沿って不正に封印シールが切断されても、切断箇所が側面に存在するので目視では視認することができない。さらにこのように封印シールが切断されると、封印シールをさらに傷つけることなく基板ケースを開封することができてしまう。したがって、このような不正行為を外部から目視で発見することができないという問題があった。なお。本明細書において、上側とは、基板ケースを構成する蓋体の上側をいい、下側とは基板ケースを構成する底体の下側をいう。
【先行技術文献】
【特許文献】
【０００４】
【特許文献１】特開２００８−２７９１７４号公報
【特許文献２】特開２００９−２５４６７２号公報
【特許文献３】特開２０１０−０２２５２５号公報
【発明の開示】
【発明が解決しようとする課題】
【０００５】
本発明は、上記した従来の問題点に鑑み、境界線に沿って不正に封印シールが切断されても基板ケースを開封することができず、さらに、開封するためには封印シールがさらに破壊されて蓋体の上側から見える箇所にその痕跡が残ることになるため、外部から容易に不正行為を発見することができる遊技機の基板ケースを提供することを課題とする。
【課題を解決するための手段】
【０００６】
本発明の遊技機の基板ケースは、底体と、一方向にスライドして底体に装着される蓋体とを備える遊技機の基板ケースにおいて、
蓋体のスライド方向に対して横側となる蓋体と底体の側面に、蓋体側貼着部と底体側貼着部とからなる封印シールの貼着部を設けたうえに、この貼着部に、蓋体側貼着部から上方に突出する突起を有するカッター部材を、蓋体側貼着部と底体側貼着部とに挿通させて、且つ蓋体のスライド方向に対して直交方向にスライド可能にして装着したことを特徴とするものである。
【０００７】
上記した発明において、蓋体側貼着部と底体側貼着部とに、カッター部材のスライド方向に伸びる切込み溝が形成されており、
カッター部材は、底体側貼着部と蓋体側貼着部との間に介装される水平翼と、前記突起を有し蓋体側貼着部の切込み溝に挿し込まれる上側垂直翼と、底体側貼着部の切込み溝に挿し込まれる下側垂直翼と、を備えているものとすることができる。
【発明の効果】
【０００８】
本発明に係る基板ケースは、境界線に沿って不正に封印シールが切断されてもカッター部材が基板ケースのスライドを阻止するので、カッター部材を取り外さない限り基板ケースを開封することはできない。カッター部材を取り外せば蓋体側貼着部から突出する垂直翼の突起が封印シールを破壊するので、破壊状態を容易に外部から視認することができる。
【図面の簡単な説明】
【０００９】
【図１】上方から見た基板ケースの分解斜視図である。
【図２】下方から見た基板ケースの分解斜視図である。
【図３】蓋体と底体とが合体された基板ケースの斜視図である。
【図４】カッター部材が装着前の基板ケースの要部斜視図である。
【図５】カッター部材が装着された基板ケースの要部斜視図である。
【図６】封印シールが貼着された基板ケースの要部斜視図である。
【図７】シールカバー体が装着された基板ケースの斜視図である。
【図８】図７の基板ケースの側面図である。
【図９】図８のＡ−Ａ線断面における要部拡大図である。
【図１０】図１の要部拡大図である。
【図１１】図２の要部拡大図である。
【図１２】封印シールの平面図である。
【図１３】封印シールの要部拡大図である。
【発明を実施するための最良の形態】
【００１０】
以下に、本発明の実施形態について説明する。
図１、２は、本発明の基板ケースを示す図であって、１は封印シール、２は底体、３は蓋体、４はシールカバー体、５はカッター部材、６はかしめ部カバー体である。蓋体３の側部には、蓋体のスライド方向前方（図１においては右下方向）に伸びる係止片３１が設けられ、底体２の側部には係止板２１や係止片収納室２２が設けられている。蓋体３を前方にスライドさせて係止片３１を係止板２１の下側に挿通したり係止片収納室２２に収納したりすることにより蓋体３を底体２に対して上下方向の移動を規制して合体させることができる（図３）。なお、基板ケース内には制御基板が内蔵されている。
【００１１】
また、蓋体３のスライド方向に対して横側となる一側面には、蓋体側貼着部７が設けられ、前記一側面に対応する底体２の側面には底体側貼着部８が設けられている。蓋体側貼着部７と底体側貼着部８とが合体されて、封印シール１の貼着部７０を構成する（図３）。底体２、蓋体３、シールカバー体４、カッター部材５、かしめ部カバー体６、蓋体側貼着部７，底体側貼着部８は、例えばＰＣなどの透明な樹脂により製作することができる。特にシールカバー体４は、透明な材質で製作しないと封印シール１を視認することはできない。なお、カッター部材５は色が付いていたり半透明であったりしてもよい。
【００１２】
蓋体３には、蓋体側かしめ部（錠止部）３２が、底体２には底体側かしめ部（錠止部）２３がそれぞれ２個所設けられており、蓋体３と底体２とが合体された状態では、これらのかしめ部は連通し、スライド防止用のピンが蓋体かしめ部３２と底体側かしめ部２３を挿通して挿しこまれる。蓋体側かしめ部３２のうち、最初にピンを差し込む側にはかしめ部カバー体６の内部に設けたピン抜け防止用の突片６１が挿し込まれる切り込み３３が形成されている（図２、図１）。
【００１３】
蓋体側貼着部７は、天井板７１と、上側側壁７２とからなり、天井板７１には蓋体２のスライド方向に直交して伸びる切込み溝７３が形成されている（図１０）。また、蓋体側貼着部７の前端の両側と、天井板７１の左右両側と、蓋体３との基部には、封印シール１の上側半分を囲むように段差７４が設けられている。また、天井板７１の裏側には、ガイド用の突部７５が形成され、内側の上側側壁７２の近傍には係止用の突片７６が設けられている（図１１）。
【００１４】
底体側貼着部８は、底板８１と、下側側壁８２と、底板８１の前端に設けられた立ち上がり壁８３と、切込み溝８４が形成される溝形成壁８８とからなる。一組の溝形成壁８８、８８により切込み溝８４が、蓋体側貼着部７の切り込み溝７３に連通して形成されている（図１０、図４）。また、立ち上がり壁８３の両端には封印シール１の幅に対応して段差８５が設けられ、底板８１の裏側の左右両端と、底体２との基部には、封印シール１の下側半分を囲むように段差８６が設けられている（図１１）。また、外側の下側側壁８２の近傍には、係止用の突片８７が設けられている（図４）。なお、合体された蓋体側貼着部７と底体側貼着部８との間には、カッター部材差し込み用の隙間８０が形成されている。
【００１５】
カッター部材５は、前記隙間８０に挿入される。カッター部材５は、ガイド用の水平翼５１と、切込み溝７３に挿し込まれて蓋体側貼着部７から突出する突起５２を有する上側垂直翼５３と、水平翼５１の下方に伸び、切込み溝８４に挿し込まれて底体側貼着部８から突出する突起５９を有する下側垂直翼５４とを有する（図４，図１１）。下側垂直翼５４の突起５９は、なくともよいものである。突起５２、５９は、前側が鋭利な形状に形成されていて、封印シール１を破壊しやすくしてある。また、水平翼５１には、カッター部材５取り外し時前方となる先端側に、切れ刃５５が設けられ、後端側にはガイド用の凹部５６が設けられている。さらに、水平翼５１の左右には、後方に向かって外側に広がる係止爪５７が形成されている。
【００１６】
切れ刃５５は、刃先が蓋体側貼着部３２に接するように下から上に向かって斜めに傾斜して形成されている。これによってカッター部材５の上面と蓋体側貼着部３２の裏面との密着性を向上させて封印シール１を破壊しやすくすることができる。また、切れ刃５５は先端が鋭利な山形の突状に形成されていて、封印シール１を突き破り易い形状となっている。
【００１７】
カッター部材５は、二つの凹部５６の間に、スライド方向と直交して延伸された断面円弧状で深さ1ｍｍ程度の凹溝部５８が形成されている（図４）。また、蓋体側貼着部７の裏面には前記凹溝部５８に嵌め込まれる断面円弧状で高さ1ｍｍ程度の突条部７７が設けられている（図２）。なお、カッター部材５に突条部を設け、蓋体側貼着部７に凹溝部を設けることもできる。
【００１８】
シールカバー体４は、上面４１と下面４２と前面４３と左右の側面４４とを有する横断面横向きのＵ字形に形成されていて、コの字形に折れ曲がって貼着された封印シール１全体を覆う構造となっている（図１）。シールカバー体４の一方の側面４４の内部には、図９に示すように、係止爪５７ａおよび突片７６と係合する係止片４５が設けられ、他方の側面４４の内部には、係止爪５７ｂおよび突片８７と係合する係止片４６が設けられている。係止片４５は、係止爪５７ａと係合する突部４５１と突片７６と係合する弾性片４５２を有し、係止片４６は、係止爪５７ｂと係合する突部４６１と突片８７と係合する弾性片４６２を有する。弾性片４５２及び弾性片４６２はそれぞれカッター部材５の装着時のスライド方向前方に向かって外側に広がっている。
【００１９】
以上のように構成されたものにおいては、蓋体３を底体２に対して前方にスライドさせて蓋体３と底体２とを合体させる（図３）。そして、合体された蓋体側かしめ部３２と底体側かしめ部２３の一つに、蓋体３のスライド防止用のピンを挿通して、蓋体３の底体２からのスライドを防止する。次いで、かしめ部カバー体６を装着することによって突片６１が切り込み３３に挿し込まれて、ピンの頭部を押さえつけるので、シールカバー体６を取り外したうえで、ピンを抜き出さない限り蓋体３を開封する方向にスライドさせることはできない。
【００２０】
また、底体２と蓋体３との合体によって蓋体側貼着部７と底体側貼着部８が対向されて貼着部７０が構成される（図４）。次いで、カッター部材５を蓋体側貼着部７と底体側貼着部８との隙間８０に挿入する。上側垂直翼５３及び下側垂直翼５４の幅はそれぞれ切込み溝７３、８４に対応して僅かに小さい幅としてあるので、貼着部７０に対して左右にずれることなくカッター部材５を装着することができる（図５）。このようにして、凹部５６に突起７５が嵌め込まれる。凹部５６の突起７５と係合している部分は傾斜しているので、カッター部材５の挿入方向以外の移動は規制されている。
これによって、突起５２は天井板７１の上面から突出するが上側垂直翼５３は突出しない状態で、また突起５９は底板８１の下面から突出するが下側垂直翼５４は突出しない状態で、垂直翼５３，５４が蓋体側貼着部３と底体側貼着部２との間に挿通されて装着される。また、凹溝部５８には、突条部７７が嵌め込まれていて、カッター部材５の抜け出し方向のスライドは緩く規制されている。
【００２１】
その後、蓋体側貼着部７と底体側貼着部８を跨いで封印シール１を貼着する（図６）。この場合、蓋体側貼着部７、底体側貼着部８のそれぞれの段差７４、８５、８６を目印にすることで貼着位置の誤差を少なくして貼り付けることができる。突起５２、５９は封印シール１の後方に位置しており、封印シール１の貼着を妨げることはない。
【００２２】
このような状態において、例え蓋体側貼着部７と底体側貼着部８との間の隙間８０に沿って封印シール１を切断したとしても、上側垂直翼５３が切込み溝７３の両サイドと、下側垂直翼５４が切込み溝８４の両サイドの溝形成壁８８とに挟まれているため、蓋体３を底体２に対して後方にスライドさせて基板ケースを開封することが阻止される。両者のスライドを可能にするためには、カッター部材５を切込み溝７３に沿ってスライドさせて貼着部７０から引き出す必要があるが、その場合、突起５２によって蓋体側貼着部７側の封印シール１が破壊されることになる。このようにして、何らかの方法で蓋体側かしめ部３２と底体側かしめ部２３との係合が不正に解除された場合であっても、カッター部材５が基板ケースの開封を阻止するかしめ部としての機能を有しているため、開封に伴い封印シール１の視認可能位置に破壊の痕跡が残るので、不正行為を容易に発見することができる。
【００２３】
なお、本実施例では、凹部５６と突起７５との係合、及び、天井板７１と溝形成壁８８上面とが水平翼５１を挟み付けることによりカッター部材５の上下方向への移動を規制しているが、どちらか一方、若しくは、突起７５を底体側貼着部８に設けて凹部５６と係合させることでカッター部材５を底体側貼着部８側に装着することにより規制してもよい。その場合、水平翼５１は本実施例のように垂直翼５３、５４の両側に設ける必要はなく、片側にのみ設けてもよい。
【００２４】
さらに貼着された封印シール１の上にシールカバー体４を差し込んで封印シール１を覆う（図７）。このとき、シールカバー体４の側面４４ａと係止片４５との間には突片７６が挿入され、側面４４ｂと係止片４６との間には突片８７が挿入される。シールカバー体４の係止片４５は、係止爪５７が内側に撓むことで突部４５１が係止爪５７と係合し、弾性片４５２が内側に撓むことで弾性片４５２が突片７６と係合し、係止片４６は、係止爪５７が内側に撓むことで突部４６１が係止爪５７と係合し、弾性片４６２が内側に撓むことで弾性片４６２が突片８７と係合する（図９）。弾性片４５２と突片７６と係合、及び、弾性片４６２と突片８７との係合を解除するためには、弾性片４５２、４６２を内側に撓ませる必要があるが、弾性片４５２、４６２の外側にはそれぞれ突片７６、８７が存在しているため、外部から不正に撓ませることはできない。
【００２５】
したがって突片７６、８７を切断しない限りシールカバー体４を抜くことはできず、よって、カッター部材５を引き出すこともできない。また、カッター部材５が蓋体３のスライド方向に対して直交する方向からスライド式で装着されているので、このカッター部材５やシールカバー体４が蓋体３の開封方向へのスライドを規制するので、基板ケースを容易に開封することはできない。
【００２６】
以上のようにして封印された基板ケースにおいて、突片７６、８７を不正に切断してカッター部材５をシールカバー体４とともにスライドさせて引き出した場合には、突起５２が封印シール１を破壊する。よって、破壊状態を透明なシールカバー体４の上方から視認することができる。また、切れ刃５５が封印シール１を切断する。封印シール１として、ＩＣチップ１１とアンテナ部１２とこの両者をつなぐ接続部１３を有するＩＣタグシールを使用して、接続部１３を切れ刃の直前に位置させておけば、接続部１３が切断されることになる。よって、ＩＣチップの識別情報の読み取りが不可能となって不正行為を電気的に検知することができる。
【符号の説明】
【００２７】
１  封印シール、２  底体、３  蓋体、４  シールカバー体、５  カッター部材、７    底体側貼着部、８  蓋体側貼着部、５１  水平翼、５２  突起、５３、上側垂直翼、７０  貼着部、７３  切込み溝
【図１】
0005467417.tif 000002
【図２】
0005467417.tif 000003
【図３】
0005467417.tif 000004
【図４】
0005467417.tif 000005
【図５】
0005467417.tif 000006
【図６】
0005467417.tif 000007
【図７】
0005467417.tif 000008
【図８】
0005467417.tif 000009
【図９】
0005467417.tif 000010
【図１０】
0005467417.tif 000011
【図１１】
0005467417.tif 000012
【図１２】
0005467417.tif 000013
【図１３】
0005467417.tif 000014